【手続補正書】
【提出日】平成17年9月30日(2005.9.30)
【手続補正１】
【補正対象書類名】特許請求の範囲
【補正対象項目名】全文
【補正方法】変更
【補正の内容】
【特許請求の範囲】
【請求項１】
熱可塑化性樹脂を用いて成形体を形成する金型装置において、
固定側型板と可動側型板と、該各型板の型板ポケットにそれぞれ埋設されるとともに、少なくとも一方が型板ポケットの側面との間に空所を有してなる中子と、固定側型板に対する可動側型板の開閉方向に直交する方向に前記中子を移動可能とする中子位置調整手段と、を有し、
前記中子が埋設される型板ポケットの全ての側面と前記中子のすべての側面は常に接せずに設けられていることを特徴とする金型装置。
【請求項２】
複数の光学面を有する光学素子を成形する金型装置において、
固定側型板と可動側型板と、該各型板の型板ポケットにそれぞれ埋設されるとともに、少なくとも一方が型板ポケットの側面との間に空所を有してなる中子と、固定側型板に対する可動側型板の開閉方向に直交する方向に前記中子を移動可能とする中子位置調整手段と、を有し、
前記中子の側面のうち、前記中子位置調整手段と接しない部位は、前記中子位置調整手段と接する部位に対して、中子中心方向に凹であることを特徴とする金型装置。
【請求項３】
複数の光学面を有する光学素子を、形成する金型装置において、
固定側型板と可動側型板と、該各型板の型板ポケットにそれぞれ埋設されるとともに、少なくとも一方が型板ポケットの側面との間に空所を有してなる中子と、固定側型板に対する可動側型板の開閉方向に直交する方向に前記中子を移動可能とする中子位置調整手段と、を有し
前記中子の少なくとも１側面部もしくは前記中子の側面と相対する型板ポケットの少なくとも１側面部には型板ポケットの側面と中子側面とを接せずに保つ為の少なくとも２つの微小凸部が設けられていることを特徴とする金型装置。
【請求項４】
請求項１乃至３の何れかに記載の金型装置により成形したことを特徴とする光学素子。
【請求項５】
前記中子位置調整手段は、前記中子の側面と前記型板ポケットの側面の間に設けられていることを特徴とする請求項１乃至３の何れかに記載の金型装置。
【請求項６】
前記中子位置調整手段は、クサビ状を呈したブロック部材であることを特徴とする請求項１乃至３、５の何れかに記載の金型装置。
【請求項７】
前記中子の側面のうち、前記中子位置調整手段と接する位置は、前記中子の側面の中央部であることを特徴とする請求項１乃至３，５，６の何れかに記載の金型装置。
【請求項８】
前記固定側型板と前記可動側型板の少なくとも一方に、変位センサが配置されていることを特徴とする請求項１乃至３，５，６，７の何れかに記載の金型装置。
【手続補正２】
【補正対象書類名】明細書
【補正対象項目名】０００４
【補正方法】変更
【補正の内容】
【０００４】
前記特許文献１では、クリアランスを有して型内に取り付けられた鏡面駒と型板の熱膨張差を利用して、鏡面駒外周面と型板の孔内周面との間のクリアランスを消失させるとしている。
【手続補正３】
【補正対象書類名】明細書
【補正対象項目名】０００６
【補正方法】変更
【補正の内容】
【０００６】
しかしながら、特許文献１に記載の方法では、射出成形用金型を用いて射出成形する際に、室温変化があると金型温度が変化してクリアランスが消失できなくなり、偏心が発生するとともに偏心量が光学素子ごとにばらついてしまうという課題があった。
【手続補正４】
【補正対象書類名】明細書
【補正対象項目名】０００７
【補正方法】変更
【補正の内容】
【０００７】
特許文献２に記載の方法では、光学面を形成するピースを可動側の型板のスリーブ内に組み付けて外周形成スリーブを回転調整した際に、外周形成スリーブと光学面を形成するピースの接触する部分の面積が調整毎に異なる。そのため、接触部分が異なることにより、その都度、光学面を形成するピースの温度分布が変化してしまい、その結果、光学素子の面形状が変化してしまうという課題を有している。更に、光学面を形成するピースの温度分布が変化することによって、光学素子内部の冷却過程に違いが発生し、光学素子内部の分子配向が異なってしまうという課題を有している。
【特許文献１】特開平11−90964号公報
【特許文献２】特開平7−195450号公報
【手続補正５】
【補正対象書類名】明細書
【補正対象項目名】０００９
【補正方法】変更
【補正の内容】
【０００９】
上記目的を達成するため、本発明の金型装置は、熱可塑化性樹脂を用いて成形体を形成する金型装置において、固定側型板と可動側型板と、該各型板の型板ポケットにそれぞれ埋設されるとともに、少なくとも一方が型板ポケットの側面との面に空所を有してなる中子と、固定側型板に対する可動側型板の開閉方向に直交する方向に前記中子を移動可能とする中子位置調整手段と、を有し、前記中子が埋設される型板ポケットの全ての側面と前記中子のすべての側面は常に接せずに設けられていることを特徴とする。
【手続補正６】
【補正対象書類名】明細書
【補正対象項目名】００１０
【補正方法】変更
【補正の内容】
【００１０】
又、本発明の金型装置は、複数の光学面を有する光学素子を成形する金型装置において、固定側型板と可動側型板と、該各型板の型板ポケットにそれぞれ埋設されるとともに、少なくとも一方が型板ポケットの側面との間に空所を有して成る中子と、固定側型板に対する可動側型板の開閉方向に直交する方向に前記中子を移動可能とする中子位置調整手段と、を有し、前記中子の側面のうち、前記中子位置調整手段と接しない部位は、前記中子位置調整手段と接する部位に対して、中子中心方向に凹であることを特徴とする。
【手続補正７】
【補正対象書類名】明細書
【補正対象項目名】００１４
【補正方法】変更
【補正の内容】
【００１４】
また、上記第３番目の発明の構成のように、中子の少なくとも１側面部もしくは中子側面と相対する型板ポケットの少なくとも１側面部に、型板ポケットの側面と中子側面とを接せずに保つ為の少なくとも２つの微小凸部を設けることにより、中子位置調整手段により中子をある１つの型板ポケット型板側面に押し付けた際に、前記微小凸部の先端が先に型板側面に当て付くので、中子と型板との間には微小凸部量分だけの空所を得ることができる。そのため、偏心調節を行った場合に対しても、中子と型板の温度分布を一定に保つことが出来る。
また、本発明の金型装置は、前記中子位置調整手段は、前記中子の側面と前記型板ポケットの側面の間に設けられていることを特徴とする。
また、本発明の金型装置は、前記中子位置調整手段は、クサビ状を呈したブロック部材であることを特徴とする。
また、本発明の金型装置は、前記中子の側面のうち、前記中子位置調整手段と接する位置は、前記中子の側面の中央部であることを特徴とする。
更に、本発明の金型装置は、前記固定側型板と前記可動側型板の少なくとも一方に、変位センサが配置されていることを特徴とする。
【手続補正８】
【補正対象書類名】明細書
【補正対象項目名】００２０
【補正方法】変更
【補正の内容】
【００２０】
図１に示すように、金型装置１は固定金型２と可動金型３により構成されている。固定金型２は固定側型板４と固定側取り付け板１４により構成され、又可動金型３は可動側型板５、一対のスペーサ３３、可動側取り付け板３１及び一対のスペーサ３３間に配置された突き出し板１９、２０により構成されている。前記固定金型２の固定側型板４に穿設された型板ポケット４０及び可動金型３の可動側型板５に穿設された型板ポケット４０ａには、それぞれ固定側中子６及び可動側中子７が埋設されている。更に、固定側中子６及び可動側中子７にはそれぞれ複数（図では各４個）の固定側鏡面コア８、可動側鏡面コア９が埋設されており、各鏡面コア８、９と各中子６、７とで光学素子としてのレンズを成形するキャビティ１０を形成している。なお、固定側型板４と可動側型板５の型合わせ面１１を境に、金型装置１の固定金型２と可動金型３は開閉する。ここで、型板ポケット４０とは固定側型板４に固定側中子６が埋設される部分を示す。又型板ポケット４０ａは、可動側型板５に可動側中子７が埋設される部分を示す。
【手続補正９】
【補正対象書類名】明細書
【補正対象項目名】００２２
【補正方法】変更
【補正の内容】
【００２２】
更に、図１及び図２に示されるように、固定側中子６の側面全周は固定側型板４に穿設された型板ポケット４０の内壁面の全側面に空所１２を介して埋設され、上記型板４とは接しない状態となっている。
【手続補正１０】
【補正対象書類名】明細書
【補正対象項目名】００２６
【補正方法】変更
【補正の内容】
【００２６】
固定側中子６の外観形状は、図１乃至図３に示すように、略長方体形である。そして、図２の平面図で示されるように、その一面を形成する略長方形において、長辺及び短辺の各辺の中央部分に対し、両側が凹んだ状態で形成されている。この点については図３において更に詳細に示されている。
そして各辺の前記中央部分は、対面側（型板ポケット４０の底面側）に向けて、型板ポケット４０の内側面、すなわち固定側型板４の内側面との空所あるいは間隙が少なくなるように、それぞれテーパー面となっている（図１、図３（ｂ）参照）。各辺の前記中央部分に対し、両側の凹んだ部分は、型板ポケット４０の底面側に垂直になっている（図１参照）。又、可動側中子７の外観形状も長方体形状である。